(57)【要約】【課題】一例として、電子機器の筐体を回動可能な接続部により安定的に接続させることの可能な電子機器用のスタンドを得る。【解決手段】実施形態にかかる電子機器用のスタンドは、一例として、第一の筐体と、接続部と、を備える。接続部は、表示面と第二の筐体とを有し第二の筐体の端部に第一の開口部が設けられた電子機器を、着脱可能に接続し、第一の筐体に回動可能に支持される。接続部は、支持部と、突起部と、ベース部材と、を有する。支持部は、第二の筐体を外側から支持する。突起部は、支持部とは離間して位置され第一の開口部に挿入される。ベース部材は、支持部の少なくとも一部を構成する第一の部分と、第一の部分と一体に構成され突起部の少なくとも一部を構成する第二の部分と、を含む。【選択図】図１２
2014236009.tif 000002
【特許請求の範囲】
【請求項１】
第一の筐体と、
表示面と第二の筐体とを有し当該第二の筐体の端部に第一の開口部が設けられた電子機器を、着脱可能に接続し、前記第一の筐体に回動可能に支持された接続部と、
を備え、
前記接続部は、
前記第二の筐体を外側から支持する支持部と、
前記支持部とは離間して位置され前記第一の開口部に挿入される突起部と、
前記支持部の少なくとも一部を構成する第一の部分と、当該第一の部分と一体に構成され前記突起部の少なくとも一部を構成する第二の部分と、を含むベース部材と、
を有した、
電子機器用のスタンド。
【請求項２】
前記突起部は、四角形状かつ板状である、請求項１に記載のスタンド。
【請求項３】
前記接続部は、前記突起部と重なって設けられ、前記第二の筐体をロックする第一の位置と、前記第二の筐体の前記ロックを解除する第二の位置と、の間で移動可能なフック部を有した、請求項１または２に記載のスタンド。
【請求項４】
前記突起部に、前記フック部を収容する第二の開口部が設けられた、請求項３に記載のスタンド。
【請求項５】
前記ベース部材は、鋳造部品である、請求項１〜４のうちいずれか１項に記載のスタンド。
【請求項６】
前記第二の部分を成型する型の抜き方向は、前記第二の筐体の前記接続部への着脱方向と交差する、請求項５に記載のスタンド。
【請求項７】
前記第一の部分には、前記突起部と前記抜き方向に面した位置に第三の開口部が設けられた、請求項６に記載のスタンド。
【請求項８】
前記支持部は、前記第一の部分を覆う第三の部分を有し、
前記第三の部分には、前記第三の開口部内に突出し前記第二の筐体を支持する突出部が設けられた、請求項７に記載のスタンド。
【請求項９】
前記支持部は、前記第二の筐体の一方の面を支持する第一の支持部と、前記一方の面とは反対側の他方の面を支持する第二の支持部と、を含む、請求項１〜８のうちいずれか１項に記載のスタンド。
【請求項１０】
前記支持部の少なくとも一部に、前記筐体の一部を露出させる第四の開口部が設けられた、請求項１〜９のうちいずれか１項に記載のスタンド。
【請求項１１】
第一の筐体と、
前記第一の筐体に回動可能に支持された接続部と、
端部に第一の開口部が設けられ、前記接続部に着脱可能に接続された第二の筐体と、
表示面を有し、前記第二の筐体に支持された表示部と、
を備え、
前記接続部は、
前記第二の筐体を外側から支持する支持部と、
前記支持部とは離間して位置され前記第一の開口部に挿入される突起部と、
前記支持部の少なくとも一部を構成する第一の部分と、当該第一の部分と一体に構成され前記突起部の少なくとも一部を構成する第二の部分と、を含むベース部材と、
を有した、
電子機器。
【発明の詳細な説明】
【技術分野】
【０００１】
本発明の実施形態は、電子機器用のスタンドおよび電子機器に関する。
【背景技術】
【０００２】
従来、第一の筐体に回動可能に支持された接続部に第二の筐体が着脱可能に接続された電子機器が、知られている。
【先行技術文献】
【特許文献】
【０００３】
【特許文献１】特開２０１１−２４８８７２号公報
【発明の概要】
【発明が解決しようとする課題】
【０００４】
この種の電子機器では、一例としては、第二の筐体が接続部により安定的に接続されるのが好ましい。
【課題を解決するための手段】
【０００５】
実施形態にかかる電子機器用のスタンドは、一例として、第一の筐体と、接続部と、を備える。接続部は、表示面と第二の筐体とを有し第二の筐体の端部に第一の開口部が設けられた電子機器を、着脱可能に接続し、第一の筐体に回動可能に支持される。接続部は、支持部と、突起部と、ベース部材と、を有する。支持部は、第二の筐体を外側から支持する。突起部は、支持部とは離間して位置され第一の開口部に挿入される。ベース部材は、支持部の少なくとも一部を構成する第一の部分と、第一の部分と一体に構成され突起部の少なくとも一部を構成する第二の部分と、を含む。
【図面の簡単な説明】
【０００６】
【図１】図１は、実施形態にかかる電子機器の一例の展開状態での斜視図である。
【図２】図２は、実施形態にかかる電子機器の一例の折り畳み状態での斜視図である。
【図３】図３は、実施形態にかかる電子機器の一例の折り畳み状態での側面図である。
【図４】図４は、実施形態にかかる電子機器の一例の展開状態で第二の筐体が取り外された状態での斜視図である。
【図５】図５は、実施形態にかかる電子機器の一例の折り畳み状態で第二の筐体が取り外された状態での斜視図である。
【図６】図６は、実施形態にかかる電子機器の一例の第二の筐体の正面図である。
【図７】図７は、実施形態にかかる電子機器の一例の第二の筐体の背面図である。
【図８】図８は、実施形態にかかる電子機器の一例の第二の筐体の側面図である。
【図９】図９は、実施形態にかかる電子機器の一例の接続部の斜視図である。
【図１０】図１０は、実施形態にかかる電子機器の一例のカバーを取り外した状態の接続部の斜視図である。
【図１１】図１１は、実施形態にかかる電子機器の一例の接続部に含まれる内部構造の一部の斜視図であって、フック部が開口部に収容されている状態が示された図である。
【図１２】図１２は、実施形態にかかる電子機器の一例の接続部に含まれる内部構造の一部の斜視図（一部破断図）であって、フック部が開口部から突出されている状態が示された図である。
【図１３】図１３は、実施形態にかかる電子機器の一例の接続部に含まれる内部構造の一部の分解斜視図である。
【図１４】図１４は、実施形態にかかる電子機器の一例の接続部に含まれるベース部材の斜視図である。
【図１５】図１５は、実施形態にかかる電子機器の一例の接続部に含まれるスライダの斜視図である。
【図１６】図１６は、実施形態にかかる電子機器の一例の接続部に含まれるスライダの図１５とは異なる角度から見た斜視図である。
【図１７】図１７は、実施形態にかかる電子機器の一例の接続部に含まれる内部構造の一部の図１１とは異なる角度から見た斜視図であって、フック部が開口部に収容されている状態が示された図である。
【図１８】図１８は、実施形態にかかる電子機器の一例の接続部に含まれる内部構造の一部の図１２とは異なる角度から見た斜視図であって、フック部が開口部に収容されている状態が示された図である。
【図１９】図１９は、実施形態にかかる電子機器の一例の接続部に含まれる突起部とフック部との側面図である。
【図２０】図２０は、実施形態にかかる電子機器の一例の接続部の一部の分解斜視図である。
【発明を実施するための形態】
【０００７】
以下、図面を参照して、実施形態について説明する。なお、以下の実施形態では、電子機器がパーソナルコンピュータとして構成された場合が例示されるが、本実施形態にかかる電子機器は、これには限定されない。本実施形態にかかる電子機器は、例えば、スマートフォンや、携帯電話機、ＰＤＡ（personal  digital  assistant）、電子辞書装置、映像表示装置、テレビ電話機等の種々の電子機器として構成することができる。
【０００８】
本実施形態では、一例として、図１，２に示されるように、電子機器１は、装置１ａ（電子機器）と、装置１ｂ（電子機器）と、を備える。装置１ａは、筐体３（第二の筐体）や表示装置４等を有する。装置１ａは、例えば、タブレット型のパーソナルコンピュータである。装置１ｂは、筐体２（第一の筐体）やキーモジュール７、入力操作部８等を有する。装置１ａは、装置１ｂ（の接続部６）に着脱可能に連結（接続）される（図４，５参照）。装置１ｂは、接続部６に接続された装置１ａを起立状態で支持することができる。すなわち、装置１ｂは、装置１ａのスタンド（支持部、保持部）の一例である。電子機器１は、装置１ａが装置１ｂと連結されないタブレットモード（図６〜８参照）と、装置１ａが装置１ｂと連結されたクラムシェルモード（ノートブックモード、図１参照）と、で使用できる。
【０００９】
接続部６は、装置１ｂ（筐体２）に、ヒンジ部９を介して、回動軸Ａｘ回りに回動可能に支持されている。クラムシェルモードでは、筐体２が装着された接続部６が回動軸Ａｘ回りに回動することにより、電子機器１は、筐体２と筐体３とが展開された展開状態（図１参照）と、筐体２と筐体３とが折り畳まれた折り畳み状態（図２参照）との間で、変形可能である。図２に示されるように、折り畳み状態では、筐体２と筐体３とが、各々の厚さ方向に重なる。折り畳み状態では、筐体２の面２ａと筐体３の面３ａとが互いに面した状態で重なり、表示装置４（の表示画面４ａ）や、キーモジュール７、入力操作部８等が、筐体２および筐体３に隠される。展開状態では、筐体２の面２ａおよび筐体３の面３ａが露出され、表示装置４（の表示画面４ａ）や、タッチパネル５、キーモジュール７、入力操作部８等が使用可能（視認可能あるいは操作可能）になる。
【００１０】
また、クラムシェルモードでは、装置１ａの筐体３の内部に収容された電気部品（例えば、回路基板等、図示されず）は、コネクタ１５（図８参照）や、ハーネス（図示されず）、フレキシブルプリント配線板（図示されず）等の導体部を介して、装置１ｂの筐体２の内部に収容された電気部品（例えば、キーモジュール７や、入力操作部８等）と、電気的に接続される。クラムシェルモードでは、装置１ｂによって、装置１ａの機能が拡張される。すなわち、装置１ｂは、機能拡張装置（クレードル、ドック、ドッキングステーション）の一例である。なお、装置１ｂの筐体２内には、バッテリや、コネクタ、回路基板等が収容されうる。なお、キーモジュール７や、入力操作部８等での入力操作によって得られたデータは、無線通信機構（送受信回路、アンテナ等、図示されず）を介して、筐体３の回路基板に入力されてもよい。その場合には、コネクタ１５を省略することができる。
【００１１】
また、本実施形態では、一例として、装置１ａの筐体３（第二の筐体）は、表示画面４ａ（表示面）を有した表示装置４（表示部、ディスプレイ、パネル、表示部品）を支持している。筐体３は、表示装置４の少なくとも一部を収容している。
【００１２】
本実施形態では、一例として、図１，２からわかるように、筐体３は、正面視および背面視では四角形状（本実施形態では一例として長方形状）の外観を呈する。また、筐体３は、前後方向（筐体３の厚さ方向、表示画面４ａの法線方向）に薄い偏平な直方体状に構成される。筐体３は、面３ａ（正面、前面、表面、面部）とその反対側の面３ｂ（背面、後面、裏面、面部）と、を有する。面３ａと面３ｂとは互いに反対側を向いた姿勢で（本実施形態では一例として平行に）設けられる。筐体３は、正面視では、四つの端部３ｃ〜３ｆ（辺部、縁部）と、四つの角部３ｇ〜３ｊ（尖部、曲部、端部）と、を有する。端部３ｃ，３ｅは、長辺部の一例である。端部３ｄ，３ｆは、短辺部の一例である。また、筐体３は、面３ａと面３ｂとの間に亘った四つの面３ｐ（側面、亘面、面部）を有する。なお、複数の面３ｐは、必ずしも互いに明確に尖った角部等で区分される必要は無く、屈曲部等を介して滑らかに繋がってもよい。
【００１３】
また、筐体３は、正面側に位置された壁部３ｋ（部分、プレート、フレーム、前壁部、表壁部、天壁部）と、背面側に位置された壁部３ｍ（部分、プレート、後壁部、裏壁部、底壁部）と、を有する。壁部３ｋには、四角形状の開口部３ｒが設けられ、ユーザは、正面側（前方側）から開口部３ｒを介して表示画面４ａを視認することができる。壁部３ｋは、表示装置４（表示画面４ａ）の周縁部を囲っている。壁部３ｋは、四角形状の枠状かつ板状である。壁部３ｍは、四角形状の板状である。壁部３ｍは、表示装置４の表示画面４ａの反対側に位置された裏面（図示されず）を覆う。また、筐体３は、壁部３ｋと壁部３ｍとの間に亘った四つの壁部３ｎ（部分、プレート、側壁部、端壁部、立壁部、亘部）を有する。壁部３ｎは、壁部３ｋ，３ｍと交差し、表示装置４の側面（図示されず）に沿い、当該側面を覆う。なお、壁部３ｋ，３ｍや複数の壁部３ｎは、必ずしも互いに明確に尖った角部等で区分される必要は無く、屈曲部等を介して滑らかに繋がってもよい。また、壁部３ｋ，３ｍと壁部３ｎとの断面は、一連の弧状であってもよい。壁部３ｋ，３ｍは、互いに略平行である。なお、筐体３は、壁部３ｋと壁部３ｍとの間に位置された壁部（部分、プレート、フレーム、中間壁部、内壁部、ミドルプレート、ミドルフレーム、第三壁部、図示されず）を有することができる。
【００１４】
また、本実施形態では、一例として、筐体３は、複数の部材（筐体部材、部品、分割体）が組み合わせられて構成されることができる。筐体３を構成する部材は、例えば、合成樹脂材料（プラスチック、エンジニアリングプラスチック等）や、金属材料（アルミニウム合金や、マグネシウム合金、ステンレススチール等）等であることができる。
【００１５】
本実施形態では、一例として、表示装置４は、正面視では四角形状（本実施形態では一例として長方形状）の外観を呈する。また、表示装置４は、前後方向（筐体３の厚さ方向）に薄い偏平な直方体状に構成される。表示装置４は、例えば、液晶ディスプレイ（ＬＣＤ，liquid  crystal  display）や、有機ＥＬディスプレイ（ＯＥＬＤ，organic  electro-luminescent  display）等である。なお、表示装置４は、フレキシブルディスプレイであることができる。また、表示装置４の表示画面４ａは、タッチパネル５（タッチセンサ、入力操作パネル）の透明部で覆われている。なお、タッチパネル５は、表示装置４内に組み込まれたインセルタッチパネルとして構成されてもよい。
【００１６】
また、本実施形態では、一例として、筐体３内には、表示装置４の後側（裏側、背後側、壁部３ｍ側、表示画面４ａとは反対側）に、カメラモジュール１２（カメラユニット、カメラアセンブリ、カメラ、撮像装置）が収容されている（設けられている）。カメラモジュール１２は、筐体３の壁部３ｍに設けられた開口部３ｓを介して露出している。また、筐体３内には、カメラモジュール１２とは別の電気部品（部品、第一の電気部品、図示されず）が収容されうる（設けられうる）。電気部品は、一例としては、回路基板（基板、プリント基板、制御基板）や、配線（ケーブル、ハーネス、フレキシブルケーブル、フレキシブルプリント配線板等）、バッテリモジュール（バッテリ、組電池、セル、モジュール、バッテリパック、バッテリユニット）、スピーカモジュール（スピーカユニット、スピーカアセンブリ、スピーカ、音声出力装置）、アンテナモジュール（アンテナユニット、アンテナセンブリ、アンテナ、第一の送受信部）等である。これら電気部品は、配線を介して、それぞれ他の電気部品と電気的に接続されうる。
【００１７】
また、本実施形態では、一例として、筐体３の面３ｂや面３ｐには、上述した電気部品の冷却等に用いられる空気を導入したり排出したりする通気口１１が設けられている。通気口１１は、一例としては、壁部３ｍや壁部３ｎに設けられた複数の小孔１１ａが集まった部分として構成されることができる。また、筐体３の端部３ｄの面３ｐには、コネクタ１０や操作部１４が設けられている。コネクタ１０は、一例としては、電源ケーブル用のコネクタや、ＵＳＢ（universal  serial  bus）コネクタ、カードコネクタ、イヤホンやマイクのコネクタ等である。操作部１４は、一例としては、押しボタンや、押しスイッチ、スライドスイッチ、ポインティングデバイス、ダイヤル等である。なお、操作部１４は、一例としては、図２，３に示されるように、筐体３に対して相対移動可能（着脱可能あるいはスライド移動可能）に設けられるカバー１６等によって覆い隠すことができる。また、筐体３の端部３ｅの面３ｐには、コネクタ１５（図８参照）が設けられている。コネクタ１５は、筐体３の端部３ｅの長手方向（端部３ｅに沿う方向）の略中央部に設けられ、開口部３ｔから露出されている。コネクタ１５は、接続部６のコネクタユニット６５に接続されうる。また、端部３ｅの面３ｐには、複数（本実施形態では、一例として二つ）の開口部１８（第一の開口部）が設けられている。二つの開口部１８は、コネクタ１５を挟んで、筐体３の端部３ｅの長手方向（端部３ｅに沿う方向）に間隔をあけて配置されている。開口部１８には、接続部６の突起部６２が挿入される。
【００１８】
また、本実施形態では、一例として、バッテリモジュールは、リチウムイオン二次電池として構成されうる。本実施形態では、一例として、バッテリモジュールは、表示装置４の他、筐体３に装備された電気部品に、配線等を介して、電子機器１が映像を表示したり音声を出力したりといった動作を行うために必要な電源電力を、供給することができる。また、バッテリモジュールは、図示されないが、配線や導体部（バスバー）、コネクタ等を介して回路基板等に電気的に接続された外部装置等に電力を供給することもできる。
【００１９】
また、本実施形態では、一例として、回路基板には、例えば、ＣＰＵ（central  processing  unit）や、グラフィックコントローラ、電源回路部品、ＰＣＨ（platform  controller  hub）、メモリスロットコネクタ、ＬＣＤコネクタ、Ｉ／Ｏ（input/output）コネクタ、電源コイル、素子、ＵＳＢ（universal  serial  bus）コネクタ等の複数の部品を、実装することができる。
【００２０】
また、本実施形態では、一例として、図１，２等からわかるように、装置１ｂの筐体２（第一の筐体）は、正面視および背面視では四角形状（本実施形態では一例として長方形状）の外観を呈する。また、筐体２は、上下方向（筐体２の厚さ方向）に薄い偏平な直方体状に構成される。筐体２は、面２ａ（正面、上面、表面、面部）とその反対側の面２ｂ（背面、下面、裏面、面部、図３参照）と、を有する。面２ａと面２ｂとは互いに反対側を向いた姿勢で（本実施形態では一例として平行に）設けられる。筐体２は、正面視では、四つの端部２ｃ〜２ｆ（辺部、縁部）と、四つの角部２ｇ〜２ｊ（尖部、曲部、端部）と、を有する。端部２ｃ，２ｅは、長辺部の一例である。端部２ｄ，２ｆは、短辺部の一例である。また、筐体２は、面２ａと面２ｂとの間に亘った四つの面２ｐ（側面、亘面、面部）を有する。なお、複数の面２ｐは、尖った角部等で明確に区分される必要は無く、屈曲部等を介して滑らかに繋がってもよい。
【００２１】
また、本実施形態では、一例として、筐体２は、正面側に位置された壁部２ｋ（部分、プレート、フレーム、上壁部、表壁部、天壁部）と、背面側に位置された壁部２ｍ（部分、プレート、下壁部、裏壁部、底壁部、図３参照）と、を有する。電子機器１は、筐体２の面２ｂ（壁部２ｍ）が、図示されない載置面に沿った姿勢で当該載置面上に置かれた姿勢で、使用されうる。壁部２ｋは、四角形状の枠状かつ板状である。壁部２ｍは、四角形状の板状である。また、筐体２は、壁部２ｋと壁部２ｍとの間に亘った四つの壁部２ｎ（部分、プレート、側壁部、端壁部、立壁部、亘部）を有する。壁部２ｎは、壁部２ｋ，２ｍと交差する。なお、壁部２ｋ，２ｍと壁部２ｎとは、必ずしも明確に尖った角部等で分離される必要は無く、屈曲部等を介して滑らかに繋がってもよい。壁部２ｋ，２ｍと壁部２ｎとの断面は、一連の弧状であってもよい。壁部２ｋ，２ｍは、互いに略平行である。なお、筐体２は、壁部２ｋと壁部２ｍとの間に位置された壁部（部分、プレート、フレーム、中間壁部、内壁部、ミドルプレート、ミドルフレーム、第三壁部、図示されず）を有することができる。
【００２２】
また、本実施形態では、一例として、筐体２は、複数の部材（筐体部材、部品、分割体）が組み合わせられて構成されることができる。筐体２を構成する部材は、例えば、合成樹脂材料（プラスチック、エンジニアリングプラスチック等）や、金属材料（アルミニウム合金や、マグネシウム合金、ステンレススチール等）等であることができる。
【００２３】
また、本実施形態では、一例として、筐体２は、第一の部分２Ａと、第二の部分２Ｂと、を有する。第一の部分２Ａは、筐体２の端部２ｃに位置され、端部２ｄと端部２ｆとに亘って細長く延びている。第二の部分２Ｂは、第一の部分２Ａとは外れて位置された平面視（厚さ方向の視線）で四角形状の部分である。第二の部分２Ｂの厚さは、第一の部分２Ａの厚さよりも小さい（薄い）。すなわち、第一の部分２Ａと第二の部分２Ｂとの間には段差が構成され、装置１ｂには第二の部分２Ｂを底部とする凹部が構成されている。電子機器１の折り畳み状態では、装置１ａが、第二の部分２Ｂと重なる。すなわち、第二の部分２Ｂを底部とする凹部は、電子機器１の折り畳み状態で装置１ａを収容するスペース（開口部）である。キーモジュール７（入力操作部、第一入力操作部、入力受付部、入力部）や、入力操作部８（第二入力操作部、入力受付部、入力部）等は、第二の部分２Ｂに設けられている。
【００２４】
本実施形態では、一例として、第二の部分２Ｂの壁部２ｋには、端部２ｅに沿って延びた細長い四角形状（長方形状）の開口部２ｒが設けられている。キーモジュール７（キーユニット、キーボードモジュール、キーボードユニット）は、開口部２ｒから露出している。キーモジュール７は、複数のキー７ａ（操作部）と、スティック７ｂ（操作部、ポインティングデバイス）と、を有している。キー７ａは、支持部材（図示されず）に出入可能（突没可能、変位可能）に支持されている。また、スティック７ｂは、支持部材に揺動可能（移動可能）に支持されている。なお、本実施形態では、一例として、開口部２ｒ（キーモジュール７）は、端部２ｅと第一の部分２Ａとの間で、第一の部分２Ａ側に寄せて位置されている。
【００２５】
また、本実施形態では、一例として、入力操作部８は、第二の部分２Ｂの壁部２ｋに設けられている。入力操作部８は、開口部２ｒ（キーモジュール７）と端部２ｅとの間に位置され、壁部２ｋの長手方向（端部２ｅに沿う方向）の略中央部に設けられている。入力操作部８は、端部２ｅ側に位置された四角形状（本実施形態では、一例として長方形状）のポインティングデバイス８ａ（タッチパッド、タッチパネル）と、開口部２ｒ側に位置された四角形状（本実施形態では、一例として長方形状）のクリックボタン８ｂ（ボタン）と、を有している。本実施形態では、複数（本実施形態では、一例として二個）のクリックボタン８ｂが、端部２ｅに沿って並べて配置されている。また、壁部２ｋの入力操作部８の両側（壁部２ｋの長手方向両側）には、パームレスト部１３（載置部）が設けられている。パームレスト部１３は、ユーザが手を乗せる部分であり、平面状（板状）に構成されている。
【００２６】
また、本実施形態では、一例として、第一の部分２Ａには、電気部品（部品、第二の電気部品、図示されず）が収容されうる（設けられうる）。電気部品は、一例としては、回路基板（基板、プリント基板、制御基板）や、バッテリモジュール（バッテリ、組電池、セル、モジュール、バッテリパック、バッテリユニット）、スピーカモジュール（スピーカユニット、スピーカアセンブリ、スピーカ、音声出力装置）、アンテナモジュール（アンテナユニット、アンテナセンブリ、アンテナ、第二の送受信部）、コネクタ、操作部等である。コネクタは、一例としては、電源ケーブル用のコネクタや、ＵＳＢ（universal  serial  bus）コネクタ、カードコネクタ、イヤホンやマイクのコネクタ等である。操作部は、一例としては、押しボタンや、押しスイッチ、スライドスイッチ、ポインティングデバイス、ダイヤル等である。このように、本実施形態では、キーモジュール７以外の電気部品が、第一の部分２Ａに収容されうる（設けられうる）。よって、本実施形態によれば、一例としては、キーモジュール７と当該キーモジュール７以外の電気部品とが、第二の部分２Ｂ内に当該第二の部分２Ｂの厚さ方向に重なって収容された場合に比べて、筐体２が薄くなりやすい。
【００２７】
また、本実施形態では、一例として、装置１ｂのアンテナモジュール（図示されず）は、装置１ａのアンテナモジュール（図示されず）と無線により通信し、データの授受を行うことができる。装置１ｂのアンテナモジュールから装置１ａのアンテナモジュールへ送られるデータは、例えば、キーモジュール７の入力操作に応じた（を示す）データである。また、装置１ａのアンテナモジュールから装置１ｂのアンテナモジュールへ送られるデータは、例えば、装置１ｂのスピーカモジュールを音声出力させるデータである。よって、本実施形態では、一例として、装置１ｂの電気部品は、装置１ａの（制御部（図示されず）に対応した）入力部あるいは出力部として機能することができる。
【００２８】
また、本実施形態では、一例として、第一の部分２Ａには、凹部２０（開口部、溝部、凹溝部、切欠部、収容部）が設けられている。凹部２０は、第一の部分２Ａと第二の部分２Ｂとの境界部分に位置されている。凹部２０は、端部２ｅ側に向けて開放された切欠状に構成されている。図２に示されるように、凹部２０には、接続部６の一部（基部）が挿入されている。接続部６の基部が第一の部分２Ａに設けられたヒンジ部９に連結されることで、接続部６が筐体２に回動可能に支持される。このように、本実施形態では、接続部６の一部（基部）は、平面視でＵ字状（Ｃ字状）の外観を呈する第一の部分２Ａに覆われている。よって、接続部６が損傷するのが抑制されやすい。また、本実施形態では、一例として、接続部６（の支持部６１）の面６ａ（外面、外側面、面部）は、電子機器１の折り畳み状態で、第一の部分２Ａの面２ａと略連なって位置されるか、あるいは、面２ａよりも引っ込んだ状態に位置される。よって、本実施形態によれば、一例としては、折り畳み状態で、接続部６の面６ａが第一の部分２Ａの面２ａよりも高く突出する場合に比べて、面６ａの損傷が抑制されやすい。
【００２９】
本実施形態では、一例として、図２に示されるように、接続部６は、全体として、端部２ｃ（回動軸Ａｘ、第一の部分２Ａ）に沿って延びている。また、本実施形態では、一例として、図９〜１２に示されるように、接続部６は、支持部６１や、突起部６２、フック部６３ａ（スライダ６３、ロック部材）、蓋部材６４、コネクタ６５ａ（コネクタユニット６５）、ベース部材７０、ケーシング７１，７２、カバー７３等を有する。
【００３０】
また、本実施形態では、一例として、支持部６１は、第一の支持部６１Ａ（壁部、側壁部）や、第二の支持部６１Ｂ（壁部、側壁部）、第三の支持部６１Ｃ（ベース部、底部）等を有する。第一の支持部６１Ａは、筐体３の面３ｂ（一方の面、第一の面）を当該筐体３の外側から支持することができる。また、第二の支持部６１Ｂは、筐体３の面３ａ（他方の面、第二の面）を当該筐体３の外側から支持することができる。また、第三の支持部６１Ｃは、筐体３の面３ｐ（第三の面）を当該筐体３の外側から支持することができる。第一の支持部６１Ａは、四角形状（端部２ｃに沿って延びた長方形状）かつ板状（壁状）に構成されている。第二の支持部６１Ｂは、第一の支持部６１Ａと隙間をあけて略平行に位置され、四角形状（端部２ｃに沿って延びた長方形状）かつ板状（壁状）に構成されている。本実施形態では、一例として、第一の支持部６１Ａの高さ（第三の支持部６１Ｃから突出した長さ）が、第二の支持部６１Ｂの高さ（第三の支持部６１Ｃから突出した長さ）よりも高い。また、第三の支持部６１Ｃは、端部２ｃに沿って延びた筒状（角筒状、中空状）に構成されている。第一の支持部６１Ａは、第三の支持部６１Ｃの短手方向の一方側の端部から突出している。第二の支持部６１Ｂは、第三の支持部６１Ｃの短手方向の他方側の端部から突出している。第一の支持部６１Ａ、第三の支持部６１Ｃ、ならびに第二の支持部６１Ｂは、端部２ｃに沿った方向からの視線でＵ字状を呈している。そして、第一の支持部６１Ａ、第三の支持部６１Ｃ、ならびに第二の支持部６１Ｂで囲まれた凹部６ｂ（収容部、挿入部）に、装置１ａ（筐体３）の端部３ｅの長手方向の中間部が挿入される（収容される）。すなわち、装置１ａが接続部６に接続された状態では、当該装置１ａ（筐体３）の端部３ｅの長手方向の中間部が、第一の支持部６１Ａ、第二の支持部６１Ｂ、および第三の支持部６１Ｃに囲まれた状態で（覆われた状態で）、これら第一の支持部６１Ａ、第二の支持部６１Ｂ、および第三の支持部６１Ｃのうち少なくとも一つによって支持される。すなわち、本実施形態では、一例として、筐体３が接続部６に装着された状態では、第一の支持部６１Ａ、第二の支持部６１Ｂ、および第三の支持部６１Ｃのうち少なくとも一つが、筐体３に接触する。なお、第三の支持部６１Ｃは、直接筐体３に接触しない構造であってもよい。
【００３１】
また、突起部６２、フック部６３ａ、ならびにコネクタ６５ａは、凹部６ｂの底部から、当該凹部６ｂ内に、第一の支持部６１Ａならびに第二の支持部６１Ｂが突出した方向に略沿って（略平行に）、突出している。突起部６２は、筐体３が接続部６に装着された場合に、筐体３に設けられた開口部１８から当該筐体３内に進入する。突起部６２は、筐体３内で、当該筐体３または筐体３に固定された部材と当接することにより、筐体３が突起部６２の突出方向（装置１ａの着脱方向）とは交差した方向（本実施形態では、一例として、突出方向の直交方向）に移動するのを抑制することができる。すなわち、突起部６２は、筐体３の、当該突起部６２の突出方向とは交差した方向の位置決め部として機能することができる。なお、突起部６２は、筐体３の、突起部６２の突出方向（装置１ａの装着方向）の位置決め部として機能することもできる。また、突起部６２は、筐体３が接続部６に着脱される際のガイドとして機能することもできる。
【００３２】
フック部６３ａは、筐体３が接続部６に装着された場合に、筐体３に設けられた開口部１８から当該筐体３内に進入する。フック部６３ａは、筐体３内で、当該筐体３または筐体３に固定された部材と引っ掛かることにより、筐体３が接続部６から抜け出すのを抑制する。すなわち、フック部６３ａは、筐体３の抜け止め部として機能することができる。フック部６３ａは、筐体３が抜け出すのを抑制する位置Ｐ１（筐体３をロックする位置、第一の位置、図１２，１８参照）と、筐体３が抜け出すのを抑制しない位置Ｐ２（筐体３のロックを解除する位置、第二の位置、図１７参照）との間で移動可能に構成される。
【００３３】
コネクタ６５ａは、筐体３が接続部６に装着された場合に、筐体３に設けられた開口部３ｔから当該筐体３内に進入する。コネクタ６５ａは、筐体３内で、装置１ａのコネクタ１５と機械的かつ電気的に接続される。コネクタ６５ａと装置１ａのコネクタ１５とが接続されることによって、装置１ａ（筐体３）の電気部品と装置１ｂ（筐体２）の電気部品との間で、各種のデータや電力等の授受が可能となる。
【００３４】
また、本実施形態では、一例として、図９〜１２に示されるように、第一の支持部６１Ａおよび第二の支持部６１Ｂは、それぞれ、骨格部６１ａと、シェル部６１ｂと、保護部６１ｃと、を有する。骨格部６１ａは、ベース部材７０の壁部７０ａ，７０ｂ（第一の部分）である。
【００３５】
シェル部６１ｂは、ケーシング７１，７２の壁部７１ａ，７２ａ（第三の部分）である。ケーシング７１，７２は、屈曲された板状に構成され、骨格部６１ａの凹部６ｂとは反対側（骨格部６１ａの外側）を覆っている。ケーシング７１，７２は、合成樹脂材料やエラストマ等で構成されうる。ケーシング７１，７２は、骨格部６１ａに、例えば、結合具（ねじ、クリップ、リベット等、本実施形態では、一例としてねじ、図示されず）によって、固定されうる。
【００３６】
保護部６１ｃは、カバー７３である。カバー７３は、細長い四角形状（端部２ｃに沿って延びた長方形状）に構成され、骨格部６１ａの凹部６ｂ側を覆っている。カバー７３は、弾性および可撓性を有した薄いシート状の部材である。カバー７３は、フェルトや、エラストマ、合成樹脂材料等で構成されうる。カバー７３は、骨格部６１ａに、例えば、接着等によって固定されうる。
【００３７】
また、本実施形態では、一例として、第三の支持部６１Ｃは、骨格部６１ｄと、シェル部６１ｅと、蓋部材６４と、を有する。骨格部６１ｄは、ベース部材７０の壁部７０ａ，７０ｂ（側壁部）ならびに壁部７０ｃ（底壁部）である。シェル部６１ｅは、ケーシング７１，７２の壁部７１ｂ，７２ｂである。骨格部６１ｄおよびシェル部６１ｅは端部２ｃに沿った方向からの視線でＵ字状を呈する状態に構成されている。このＵ字状の領域が底部と間隔をあけた蓋部材６４で覆われることで、角筒状の第三の支持部６１Ｃが構成されている。第三の支持部６１Ｃの内部には、壁部７０ａ，７０ｂ，７０ｃによって囲まれた空間Ｓが設けられている。当該空間Ｓには、スライダ６３の壁部６３ｂや、コネクタユニット６５の回路基板６５ｂ等が収容されている。また、壁部７０ｂは、長手方向に分割されている。二つの壁部７０ｂ（突出部）の間には、開口部７０ｈが設けられている。開口部７０ｈは、本実施形態では、一例として、四角形状の切欠であるが、貫通孔であってもよい。開口部７０ｈは、ケーシング７２の壁部７２ａで覆われている。また、ケーシング７２の壁部７２ａには、開口部７０ｈと重なった開口部７２ｃが設けられている。開口部７２ｃは、本実施形態では、一例として、端部２ｃに沿って（接続部６の長手方向に沿って）延びた長穴状の貫通孔である。この開口部７２ｃからは、スライダ６３を移動させる操作部６８が露出される。また、第二の支持部６１Ｂの長手方向の中央部かつ短手方向の端部（先端部）には、開口部６ｃ（第四の開口部）が設けられている。開口部６ｃは、本実施形態では、一例として、四角形状の切欠であるが、貫通孔であってもよい。この開口部６ｃからは、接続部６に装着された装置１ａ（筐体３）の一部が露出される。具体的には、例えば、筐体３の端部３ｅに設けられた押しボタン（図示されず）や、タッチパネル５の一部等（入力操作部）が露出されうる。
【００３８】
また、本実施形態では、一例として、突起部６２（凸部、ガイド部）は、ベース部材７０の壁部７０ｄ（中間壁部、図１３，１４参照）から突出した突出部７０ｅ（第二の部分）である。壁部７０ｄは、壁部７０ｃ（底壁部）とは壁部７０ａ，７０ｂの突出方向に離間し、壁部７０ｃと略平行な姿勢で設けられている。突出部７０ｅは、壁部７０ａ，７０ｂと略平行である。突出部７０ｅは、四角形状かつ板状である。なお、突起部６２は、接続部６（ならびに筐体２（装置１ｂ））と筐体３（装置１ａ）とのグラウンド電位を共通にする導体部（端子）を有することができる。また、突起部６２は、突出部７０ｅとは別の部材を含んでもよい。また、突起部６２は、コネクタでは無い。
【００３９】
ベース部材７０は、本実施形態では、一例として、図１１〜１４に示されるように、壁部７０ａ〜７０ｄと、突出部７０ｅ，７０ｆと、を有する。ここで、本実施形態では、ベース部材７０は、一例として、アルミニウム合金や、マグネシウム合金等の金属材料の鋳造（ダイキャスト）によって構成された、鋳造部品（ダイキャスト部品）である。よって、本実施形態によれば、例えば、壁部７０ａ〜７０ｄおよび突出部７０ｅ，７０ｆが別部材で構成された場合に比べて、剛性や、強度、寸法精度等が高まりやすい。
【００４０】
さらに、本実施形態では、一例として、突出部７０ｅを成型する型の抜き方向が、装置１ａ（筐体３）の着脱方向（図９〜１２の上下方向、突出部７０ｅの突出方向、図１４中のＸ方向）と交差した方向に設定されている。本実施形態では、一例として、抜き方向は、突出部７０ｅの突出方向と直交した方向（接続部６（第一の支持部６１Ａや第二の支持部６１Ｂ）の厚さ方向、図１４中のＹ方向）に設定されている。突出部７０ｅを成型する型の抜き方向が、装置１ａの着脱方向に沿っていた場合、突出部７０ｅの面７０ｇ（側面）に抜き勾配が生じる。すると、突出部７０ｅは、抜き勾配によって、先端側に向かうほど細いテーパ形状に構成されやすい。ここで、突出部７０ｅ（突起部６２）は、装置１ａの筐体３に設けられた開口部１８に挿入され、筐体３または当該筐体３に固定された部材（図示されず）に支持される。よって、突出部７０ｅが先端側に向かうほど細いテーパ形状であると、接続部６に接続された状態で、装置１ａ（筐体３）のがたつきが大きくなりやすい。この点、本実施形態によれば、一例としては、突出部７０ｅには、装置１ａ（筐体３）の着脱方向に沿った抜き勾配が生じにくいため、装置１ａ（筐体３）のがたつきがより小さくなりやすい。また、本実施形態では、一例として、壁部７０ａ（第一の部分）に、開口部７０ｉ（第三の開口部）が設けられている。この開口部７０ｉは、突出部７０ｅと、当該突出部７０ｅを成型する型の抜き方向（すなわち、本実施形態では、一例として、接続部６の厚さ方向）に面しており、当該抜き方向からの視線で、開口部７０ｉの外縁が、突出部７０ｅの外縁よりも外側に位置している。よって、開口部７０ｉは、成型時に、突出部７０ｅを成型する型（例えば、スライド型）が挿入される開口部として、用いられうる。
【００４１】
また、本実施形態では、一例として、図２０に示されるように、ケーシング７１の壁部７１ａ（第三の部分）には、突出部７１ｄ（凸部、壁部、リブ）が設けられている。突出部７１ｄは、壁部７１ａの凹部６ｂ側の面７１ｃ（内面、内側面、面部）に設けられ、当該面７１ｃから突出している。また、本実施形態では、複数（本実施形態では、一例として三つ）の突出部７１ｄが、壁部７１ａの長手方向（端部２ｃに沿った方向）に間隔をあけて並べられて配置されている。各突出部７１ｄは、略一定の幅を有するとともに、壁部７１ａの短手方向（装置１ａ（筐体３）の着脱方向、図２０中のＸ方向）に沿って延びている。三つの突出部７１ｄは、互いに略平行に配置されている。また、突出部７１ｄのうち壁部７１ａの長手方向（端部２ｃに沿った方向）外側に位置される突出部７１ｄ２は、他の突出部７１ｄ１よりも長さが短い。これら突出部７１ｄは、壁部７１ａの、開口部７０ｉと上述した抜き方向（接続部６の厚さ方向、図２０中のＹ方向）で重なる位置に設けられている。よって、突出部７１ｄは、ケーシング７１が骨格部６１ａ（壁部７０ａ）と一体化された際に、開口部７０ｉ内に突出する（入る）。突出部７１ｄは、その頂部（突出面、先端面）が壁部７０ａの面７０ｋ（内面、内側面、面部、凹部６ｂ側の面）と略連なった状態（形状）で設けられることができる。突出部７１ｄは、開口部７０ｉ内に位置されることで、カバー７３の面７０ｋによって支持されない領域（開口部７０ｉと重なった領域）を支持することができる。よって、一例としては、カバー７３の変形が抑制されやすい。また、突出部７１ｄは、カバー７３を介して、装置１ａ（筐体３）を支持することができる。よって、一例としては、装置１ａ（筐体３）が支持部６１によりしっかりと支持されやすい。また、突出部７１ｄは、開口部７０ｉの周縁部の壁部７０ａと当接することにより、ケーシング７１がベース部材７０の長手方向（端部２ｃに沿った方向）に移動するのを抑制することができる。すなわち、突出部７１ｄは、ケーシング７１の、長手方向（端部２ｃに沿った方向）の位置決め部として機能することもできる。なお、突出部７１ｄは、頂部（突出面、先端面）の少なくとも一部が面７０ｋよりも凹部６ｂ側へ突出した状態（形状）で設けられることができる。また、壁部７１ａならびに突出部７１ｄは、壁部７０ａに対してその厚さ方向に相対移動可能（弾性変形可能）に設けられうる。このような構成では、壁部７１ａならびに突出部７１ｄは、凹部６ｂ内に進入した筐体３（装置１ａ）を、弾性的に押した状態で、支持することができ、よって、突出部７１ｄと対向する壁部７０ｂとで装置１ａ（筐体３）を挟むことができる。よって、当該構成によれば、一例としては、装置１ａ（筐体３）をより一層安定的に接続（支持）することができる。また、一例としては、筐体３の面３ｂと壁部７０ａの面７０ｋとがより強く接触し難くなるので、面７０ｋの損傷が抑制されやすい。
【００４２】
また、本実施形態では、一例として、図１３に示されるように、接続部６を構成するベース部材７０、スライダ６３、蓋部材６４、およびコネクタユニット６５は、結合具６６（本実施形態では、一例としてねじ）を用いて互いに結合されている。蓋部材６４ならびにコネクタユニット６５の回路基板６５ｂは、いずれも、壁部７０ｃから離間し、壁部７０ｃと略平行に設けられている。蓋部材６４ならびに回路基板６５ｂは、端部２ｃに沿って延びた細長い板状に構成されている。蓋部材６４ならびにコネクタユニット６５は、結合具６６を用いてベース部材７０に固定されている。具体的には、蓋部材６４を固定する結合具６６は、蓋部材６４に設けられた開口部６４ａを通り、壁部７０ｄに設けられた結合部７０ｊ（本実施形態では、一例として雌ねじ孔）に結合される。コネクタユニット６５を固定する結合具６６は、コネクタ６５ａおよび回路基板６５ｂに設けられた開口部６５ｃを通り、壁部７０ｃから突出した突出部７０ｆ（結合用ボス部）に設けられた結合部７０ｊ（本実施形態では、一例として雌ねじ孔）に結合される。なお、これら部品の結合（固定）には、ねじ以外の、例えば、クリップや、リベット等の結合具が用いられてもよい。コネクタ６５ａは、蓋部材６４に設けられた長穴状（スリット状）の開口部６４ｂを通って凹部６ｂ内へ突出する。また、アーム部６３ｄは、蓋部材６４に設けられた長穴状（スリット状）の開口部６４ｃを通って凹部６ｂ内へ突出する。
【００４３】
また、本実施形態では、一例として、図１５，１６に示されるように、スライダ６３は、壁部６３ｂや、壁部６３ｃ、アーム部６３ｄ（６３ｄ１，６３ｄ２）、フック部６３ａ等を有している。また、スライダ６３には、他の部品等が貫通する開口部６３ｅが設けられている。壁部６３ｂは、端部２ｃに沿って（接続部６の長手方向に沿って）延びた細長い板状に構成されている。図１３に示されるように、長孔状の開口部６３ｅを貫通した結合具６６がベース部材７０の壁部７０ｃに設けられた結合部（本実施形態では、一例としては雌ねじ孔、図示されず）に結合されることで、スライダ６３がベース部材７０に取り付けられている。結合具６６は、開口部６３ｅとともに、壁部６３ｂの表側および裏側のそれぞれに位置されたリング６７（シート、リテーナ）を貫通している。すなわち、壁部６３ｂは、二つのリング６７で挟まれた状態で、壁部７０ｃに、結合されている。これらリング６７により、リング６７が無い場合に比べて、スライダ６３が移動（スライド）しやすくなる場合がある。リング６７は、例えば、エラストマや合成樹脂材料で構成されうる。
【００４４】
図１５，１６に示されるように、壁部６３ｃは、壁部６３ｂの長手方向（端部２ｃに沿った方向）の中間位置の、短手方向（幅方向）の端部から突出している。壁部６３ｃは、壁部６３ｂと交差（本実施形態では、一例として直交）している。壁部６３ｃは、四角形状かつ板状である。また、壁部６３ｃには、開口部６３ｆが設けられている。開口部６３ｆは、操作部６８の壁部６３ｃへの固定（結合）に利用されている。
【００４５】
アーム部６３ｄは、壁部６３ｂの長手方向の端部の、短手方向の端部から突出している。アーム部６３ｄは、壁部６３ｂと交差している。また、アーム部６３ｄは、段差状（クランク状）に折り曲げられている。フック部６３ａは、アーム部６３ｄの先端部分に設けられている。フック部６３ａは、アーム部６３ｄとは直交しかつ端部２ｃに沿った方向（スライダ６３の移動方向の一方側）に突出している。アーム部６３ｄならびにフック部６３ａは板状である。ユーザの手指による操作部６８（図９等参照）の操作等により、スライダ６３は、端部２ｃに沿って（接続部６およびスライダ６３の長手方向に沿って）、接続部６に対して相対的に動かされる。これにより、フック部６３ａは、少なくとも筐体３が抜け出すのを抑制する位置Ｐ１（筐体３をロックする位置、第一の位置、図１２，１８参照）と、筐体３が抜け出すのを抑制しない位置Ｐ２（筐体３のロックを解除する位置、第二の位置、図１７参照）との間で移動（スライド）する。
【００４６】
ここで、本実施形態では、一例として、図１７〜１９に示されるように、フック部６３ａ（アーム部６３ｄ）と突起部６２とが、それらの厚さ方向（接続部６の厚さ方向）に重なりあっている。よって、本実施形態によれば、一例としては、筐体３には、突起部６２が挿入される開口部とフック部６３ａ（アーム部６３ｄ）が挿入される開口部とを別個に設ける必要が無くなる。よって、一例としては、開口部が大きくなったり、開口部の数が増えたりするのが抑制されやすい。また、一例としては、開口部を設ける手間やコストが低減されやすい。
【００４７】
さらに、本実施形態では、一例として、図１７〜１９に示されるように、突起部６２には、フック部６３ａ（アーム部６３ｄ）を収容する凹部６２ａ（収容部、第二の開口部）が設けられている。すなわち、フック部６３ａが位置Ｐ１および位置Ｐ２の一方または双方に位置された状態で、フック部６３ａ（アーム部６３ｄ）の少なくとも一部が、突起部６２によって覆われる。よって、筐体３（装置１ａ）が、接続部６の凹部６ｂに、装着位置とは外れて進入した場合に、筐体３とフック部６３ａとが当接（干渉）するのが抑制されやすい。よって、一例としては、突起部６２によってフック部６３ａが保護されやすい。本実施形態では、一例として、図１９に示されるように、装置１ａ（筐体３）の接続部６への装着方向からの視線（図１９中の矢印Ｚ）で、フック部６３ａ（アーム部６３ｄ）が、突起部６２に覆われている。また、図１５〜１９に示されるように、フック部６３ａの先端部には、筐体３が接続部６へ装着される方向（壁部７０ｃに近付く方向）に移動した際に、筐体３から押された力によってフック部６３ａを引っ込ませる（位置Ｐ２へ移動させる）傾斜部６３ａ１が設けられている。そして、図１７，１８から明らかとなるように、フック部６３ａが突出した状態（位置Ｐ１に位置された状態）では、突起部６２から傾斜部６３ａ１が突出し、傾斜部６３ａ１以外の部分は突起部６２で覆われている。よって、本実施形態によれば、一例としては、接続部６の凹部６ｂに進入した筐体３は、傾斜部６３ａ１以外の場所ではフック部６３ａと当接しないため、フック部６３ａ（アーム部６３ｄ）がより損傷しにくい。なお、スライダ６３は、図示されない弾性部材（付勢部材、例えば、コイルスプリング）によって、フック部６３ａが突出する方向（位置Ｐ１へ移動する方向）に押されている。よって、筐体３が接続部６の凹部６ｂに奥まで進入した際には、スライダ６３が弾性部材に押されることで、フック部６３ａが位置Ｐ１へ移動することができる。ユーザは、筐体３を取り外す際には、操作部６８を操作してスライダ６３を動かすことで、フック部６３ａを位置Ｐ１から位置Ｐ２へ移動することができる。
【００４８】
以上のように、本実施形態では、一例として、支持部６１の少なくとも一部（骨格部６１ａ）を構成する壁部７０ａ，７０ｂ（第一の部分）と突起部６２の少なくとも一部を構成する突出部７０ｅ（第二の部分）とが、一体化されている（一部材で構成されている）。よって、本実施形態によれば、一例としては、支持部６１と突起部６２とが全く別の部材で構成されていた場合に比べて、接続部６の剛性および強度が高まりやすい。また、一例としては、支持部６１と突起部６２との寸法精度が高まりやすい。よって、一例としては、接続部６に装置１ａ（筐体３）がより安定的に接続（支持）されやすい。
【００４９】
また、本実施形態では、一例として、突起部６２が四角形状かつ板状に設けられている。よって、本実施形態によれば、一例としては、突起部６２がピン状や柱状である場合に比べて、突起部６２の剛性や強度が高まりやすい。
【００５０】
また、本実施形態では、一例として、フック部６３ａ（アーム部６３ｄ）と突起部６２とが互いに重なりあっている。よって、本実施形態によれば、一例としては、筐体３に、突起部６２が挿入される開口部とフック部６３ａ（アーム部６３ｄ）が挿入される開口部とを別個に設ける必要が無くなる。
【００５１】
また、本実施形態では、一例として、突起部６２に、フック部６３ａを収容する凹部６２ａ（第二の開口部）が設けられている。よって、本実施形態によれば、一例としては、突起部６２によってフック部６３ａが保護されやすい。
【００５２】
また、本実施形態では、一例として、ベース部材７０が鋳造部品で構成されている。よって、本実施形態によれば、一例としては、ベース部材７０の剛性や、強度、寸法精度が高まりやすい。
【００５３】
また、本実施形態では、一例として、突起部６２を成型する型の抜き方向が、筐体３（第二の筐体）の接続部６への着脱方向と交差している。よって、本実施形態によれば、一例としては、突起部６２に、筐体３の着脱方向に沿って抜き勾配が生じるのが抑制されやすい。よって、一例としては、接続部６に連結（接続、支持）された装置１ａ（筐体３）が、がたつくのが抑制されやすい。
【００５４】
また、本実施形態では、一例として、壁部７０ａ（第一の部分）には、突起部６２と抜き方向に面した位置に開口部７０ｉ（第三の開口部）が設けられている。よって、本実施形態によれば、一例としては、鋳造する際に、突起部６２が開口部７０ｉを通るスライド型によってより容易に成型されやすい。
【００５５】
また、本実施形態では、一例として、壁部７１ａ（第三の部分）には、開口部７０ｉ（第三の開口部）内に突出し筐体３（第二の筐体）を支持する突出部７１ｄが設けられている。よって、本実施形態によれば、一例としては、装置１ａ（筐体３）が、支持部６１によりしっかりと支持されやすい。
【００５６】
また、本実施形態では、一例として、支持部６１が、筐体３の面３ｂ（一方の面）を支持する第一の支持部６１Ａと、筐体３の面３ａ（他方の面）を支持する第二の支持部６１Ｂと、を含んでいる。よって、本実施形態によれば、一例としては、装置１ａ（筐体３）が接続部６により一層安定的に接続されやすい。
【００５７】
また、本実施形態では、一例として、支持部６１の少なくとも一部に、装置１ａ（筐体３）の一部が露出される開口部６ｃ（第四の開口部）が設けられている。よって、本実施形態によれば、一例としては、ユーザによって筐体３の入力操作部がより操作されやすい。
【００５８】
以上、本発明の実施形態を例示したが、上記実施形態はあくまで一例であって、発明の範囲を限定することは意図していない。これら実施形態は、その他の様々な形態で実施されることが可能であり、発明の要旨を逸脱しない範囲で、種々の省略、置き換え、組み合わせ、変更を行うことができる。これら実施形態および変形例は、発明の範囲や要旨に含まれるとともに、特許請求の範囲に記載された発明とその均等の範囲に含まれる。また実施形態と変形例との間で、構成要素を部分的に置き換えることも可能である。また、各構成要素のスペック（構造や、種類、方向、形状、大きさ、長さ、幅、厚さ、高さ、数、配置、位置、材質等）は、適宜に変更して実施することができる。
【符号の説明】
【００５９】
１…電子機器、２…筐体（第一の筐体、スタンド）、２ｃ…端部、３…筐体（第二の筐体）、３ａ…（他方の）面、３ｂ…（一方の）面、４…表示装置（表示部）、４ａ…表示画面（表示面）、６…接続部、６Ａ…第一の支持部、６Ｂ…第二の支持部、６ｃ…開口部（第四の開口部）、１８…開口部（第一の開口部）、６１…支持部、６２…突起部、６２ａ…凹部（第二の開口部）、６３ａ…フック部、７０…ベース部材、７０ａ，７０ｂ…壁部（第一の部分）、７０ｅ…突出部（第二の部分）、７０ｉ…開口部（第三の開口部）、７１ａ…壁部（第三の部分）、７１ｄ…突出部、Ｐ１…（第一の）位置、Ｐ２…（第二の）位置。
【図１】
2014236009.tif 000003
【図２】
2014236009.tif 000004
【図３】
2014236009.tif 000005
【図４】
2014236009.tif 000006
【図５】
2014236009.tif 000007
【図６】
2014236009.tif 000008
【図７】
2014236009.tif 000009
【図８】
2014236009.tif 000010
【図９】
2014236009.tif 000011
【図１０】
2014236009.tif 000012
【図１１】
2014236009.tif 000013
【図１２】
2014236009.tif 000014
【図１３】
2014236009.tif 000015
【図１４】
2014236009.tif 000016
【図１５】
2014236009.tif 000017
【図１６】
2014236009.tif 000018
【図１７】
2014236009.tif 000019
【図１８】
2014236009.tif 000020
【図１９】
2014236009.tif 000021
【図２０】
2014236009.tif 000022